(57)【要約】  運転員が、一般的に収集容器への収集のために、供給元から液体試料を引き出すことを可能とするように設計されるバルブ組立品およびシステム。バルブ組立品は、バルブハウジング、バルブハウジングに固定され、バルブステム本体上に配置されるネジ切り部分と結合するための少なくとも部分的にネジ切りされた内部表面を有するスリーブを包含する。バルブステムは、内部縦穴、シーリングブーツ、周辺シール材、および穴に対する開口部を有すると共に、開位置（流体が供給元からバルブ組立品を通して流れる）と閉位置（流体が供給元からバルブ組立品中へ流れることをバルブステムが防止する）間を移動することができる。
2010507060.tif 000002
【特許請求の範囲】
【請求項１】
ハウジング面が供給元に取り付けるために適合化され、少なくとも一つの開口部を包含すると共に、ハウジング本体がハウジング面開口部と流体連絡する第１縦穴を含む、ハウジング面およびハウジング本体を含むバルブハウジング；
少なくとも部分的にネジ切りされた内部表面を含む、第一ハウジング本体穴と一直線上にあるハウジング本体に結合されるスリーブ；
ステム本体上に配置される外部ネジ切り部分を有するバルブステム本体、少なくとも部分的に第一ハウジング本体穴中に配置されスリーブの内部表面ネジ山にネジ的に結合されると共に、少なくとも部分的にステム本体を通して延びる縦穴、第１端部および第２端部、第１端部に近接するシーリング要素、第１端部と外部ネジ切り部分間のステム本体中に配置されるバルブステム本体穴に対する第１開口部、およびステム本体の第２端部に近接して配置されるバルブステム本体穴に対する第２開口部を含むバルブステム本体；
ハウジング面開口部と周辺シール材間の第一ハウジング本体穴の一部を環境からシールするために第一ハウジング本体穴とシーリング結合するように適合化され、第１バルブステム本体開口部と外部ネジ切り部分間でバルブステム本体周りに配置される少なくとも一つの周辺シール材；および
ネジ切りストップ；
を含む供給元からの流体流を制御するためのバルブであって、
ここで該バルブステム本体は開位置と閉位置間を回転しながら移動することができ、バルブステムシーリング要素はバルブが閉位置にある場合にハウジング面開口部と噛み合いそれをシールし、バルブステム穴はバルブが開位置にある場合にハウジング面開口部と流体連絡しており、ネジ切りストップはバルブステムが開位置に移動する場合にバルブステム本体が固定点を超えて回転することを抑制する、バルブ。
【請求項２】
バルブステムシーリング要素が第１バルブステム本体開口部と流体連絡する少なくとも一つの開口部を有する、バルブステム本体の第１端部上に配置される可撓性ブーツを含む、請求項１に記載のバルブ。
【請求項３】
ブーツがシリコーンを含む、請求項２に記載のバルブ。
【請求項４】
少なくとも一つの周辺シール材がブーツ上に成形される周辺うね（ridge）を含む、請求項２に記載のバルブ。
【請求項５】
ブーツが丸めた端部を含む、請求項４に記載のバルブ。
【請求項６】
少なくとも一つの周辺シール材がブーツ上に成形される２以上の周辺うねを含む、請求項２に記載のバルブ。
【請求項７】
ブーツが丸めた端部を含む、請求項６に記載のバルブ。
【請求項８】
スリーブが部分的にネジ切りされると共に、ネジ切りストップがスリーブのネジ切りなしの部分を含む、請求項１に記載のバルブ。
【請求項９】
ハウジング本体が、さらに、第１の縦のハウジング本体穴と同心で、それよりも大きな径を有する第２の縦のハウジング本体穴を含むと共に、スリーブが第２ハウジング本体穴と結合するように適合化される、請求項１に記載のバルブ。
【請求項１０】
さらに、バルブステム本体の第２開口部に結合される第１端部を有する可撓性チューブを含む、請求項１に記載のバルブであって、該チューブはチューブの第１端部に近接するフランジ、およびフランジからチューブの第１端部に延びる短いフランジなしの端部を有する。
【請求項１１】
フランジなしの端部がバルブステム本体の第２端部に近接する開口部の径にほぼ等しい外径を有する、請求項１０に記載のバルブ。
【請求項１２】
さらに、バルブステム本体の側面から突き出る少なくとも一つの雄ピン；および
縦穴を有するバルブステムキャップ、第１端部および第２端部を含むステムキャップ、フランジ付きチューブを受け取り保持するようにサイズ化される開口部を有する第１ステムキャップ端部、バルブステム本体を受け取るようにサイズ化される開口部を有する第２ステムキャップ端部、さらに、バルブステムがステムキャップの第２端部中に挿入される場合に、ステム本体の少なくとも一つの雄ピンと噛み合うように適合化される少なくとも一つの側面開口部を含むステムキャップ；
を含む請求項１０に記載のバルブであって、該フランジ付きチューブは、第１ステムキャップ端部中に挿入され、バルブステム本体は雄ピンおよびステムキャップ側面開口部を噛み合わせるために十分に第２ステムキャップ端部中に挿入される。
【請求項１３】
ステムキャップの第１端部が六角構造を含む、請求項１２に記載のバルブ。
【請求項１４】
バルブステム本体がバルブステム本体の側面から突き出る二つの反対方向の雄ピンを含むと共に、バルブステムがステムキャップの第２端部中に挿入される場合に、ステムキャップが二つの反対方向の雄ピンと噛み合うように適合化される二つの側面開口部を含む、請求項１２に記載のバルブ。
【請求項１５】
バルブステム本体穴に対する第２開口部がステム本体の第２端部に配置され、第２開口部がテーパ化され、チューブフランジがテーパ化第２開口部と結合するテーパ化表面を有する、請求項１０に記載のバルブ。
【請求項１６】
バルブステム本体穴に対する第２開口部がステム本体の第２端部に配置される、請求項１０に記載のバルブ。
【請求項１７】
チューブがバルブステム本体の第２開口部中に挿入される、請求項１６に記載のバルブ。
【請求項１８】
ハウジング面が供給元に取り付けるために適合化され、複数の開口部を包含すると共に、ハウジング本体が、各穴が少なくとも一つのハウジング面開口部と流体連絡する複数の縦穴を含む、ハウジング面およびハウジング本体を含むバルブハウジング；
それぞれの一つのスリーブが少なくとも部分的にネジ切りされた内部表面を含み、各スリーブがハウジング穴の一つと一直線上にある、ハウジング本体に結合される複数のスリーブ；
複数のバルブステム本体であって、各バルブステム本体はステム本体上に配置される外部ネジ切り部分を有し、バルブステム本体は少なくとも部分的に複数の縦穴の一つの中に配置され、スリーブの一つの内部表面ネジ山とネジ的に結合されると共に、各バルブステム本体は、少なくとも部分的にステム本体を通して延びる縦穴、複数のスリーブの一つの内部表面ネジ山とネジ的に結合するように適合化されるステム本体上に配置される外部ネジ切り部分、第１端部および第２端部、第１端部に近接するシーリング要素、第１端部と外部ネジ切り部分間のステム本体中に配置されるバルブステム本体穴に対する第１開口部、およびステム本体の第２端部に近接して配置されるバルブステム本体穴に対する第２開口部を含む；
ハウジング面開口部と周辺シール材間のハウジング本体穴の一部を環境からシールするためにハウジング本体穴の一つとシーリング結合するように適合化され、第１バルブステム本体開口部と外部ネジ切り部分間でバルブステム本体の少なくとも一つの周りに配置される少なくとも一つの周辺シール材；および
複数のネジ切りストップ；
を含む供給元からの液体流を制御するための多バルブ組立品であって、少なくとも一つの該バルブステム本体は少なくとも一つのスリーブの内部表面ネジ山とネジ的に結合され、少なくとも一つのスリーブはハウジング本体穴の一つと一直線になってハウジング本体に固く取り付けられ、少なくとも一つのバルブステム本体は開位置と閉位置間を回転しながら移動することができ、少なくとも一つのバルブステムシーリング要素は少なくとも一つのバルブステムが閉位置に動く場合にハウジング面開口部と噛み合いそれをシールし、少なくとも一つのバルブステム穴は少なくとも一つのバルブステムが開位置にある場合に少なくとも一つのハウジング面開口部と流体連絡しており、少なくとも一つのネジ切りストップは少なくとも一つのバルブステムが開位置に動く場合に固定点を超えて回転することを抑制する。
【請求項１９】
少なくとも一つのシーリング要素が、少なくとも一つの第１バルブステム本体開口部と流体連絡する少なくとも一つの開口部を有する、少なくとも一つのバルブステム本体の第１端部上に配置される可撓性ブーツを含む、請求項１８に記載の多バルブ組立品。
【請求項２０】
少なくとも一つの周辺シール材がブーツ上に成形される周辺うねを含む、請求項１９に記載の多バルブ組立品。
【請求項２１】
少なくとも一つのスリーブが部分的にネジ切りされ、ネジ切りストップがスリーブのネジ切りなし部分を含む、請求項１８に記載の多バルブ組立品。
【請求項２２】
さらに、それぞれが複数のバルブステム本体の一つの第２端部に結合される第１端部を有する複数の可撓性チューブを含む、請求項１８に記載の多バルブ組立品であって、各チューブはチューブの第１端部に近接して周辺成形される一体フランジ、およびフランジからチューブの第１端部に延びる短いフランジなしの端部を有すると共に、各チューブのフランジなし端部はバルブステム本体の一つの第２端部に近接する第２開口部中にぴったりとはめ込むように釣り合わされる。
【請求項２３】
複数のバルブステム本体それぞれの側面から突き出る少なくとも一つの雄ピン；および
それぞれが縦穴を有する複数のバルブステムキャップ、第１端部および第２端部を含む各ステムキャップ、フランジ付きチューブを受け取り保持するようにサイズ化される開口部を有する第１ステムキャップ端部、バルブステム本体を受け取るようにサイズ化される開口部を有する第２ステムキャップ端部、さらに、バルブステムがステムキャップの第２端部中に挿入される場合に、ステム本体の少なくとも一つの雄ピンと噛み合うように適合化される少なくとも一つの側面開口部を含むステムキャップ；
をさらに含む請求項２２に記載の多バルブ組立品であって、該複数フランジ付きチューブの一つは、各ステムキャップの第１ステムキャップ端部中に挿入され、バルブステム本体の一つは雄ピンおよびステムキャップ側面開口部を噛み合わせるために十分に各ステムキャップの第２端部中に挿入される。
【請求項２４】
ハウジング面およびハウジング本体を含むバルブハウジングであって、該ハウジング面が供給元に取り付けるために適合化され、少なくとも一つの開口部を包含すると共に、該ハウジング本体が該ハウジング面開口部と流体連絡する縦穴を含む、バルブハウジング；
少なくとも部分的に該ハウジング本体穴中に配置されるバルブステム本体であって、少なくとも部分的に該ステム本体を通して延びる縦穴、第１端部および第２端部、該第１端部に近接するシーリング要素、該ステム本体中に配置される、該縦穴に対する第１開口部、該ステム本体の該第２端部に近接して配置される、該縦穴に対する第２開口部、および突出部を含む、バルブステム本体；
該第１バルブステム本体開口部と該第２端部間で該バルブステム本体周りに配置される少なくとも一つの周辺シール材であって、該ハウジング面開口部と該周辺シール材間の該第１ハウジング本体穴の一部を環境からシールするために該ハウジング本体穴とシーリング結合するように適合化された、周辺シール材；および
ステム保持要素；
を含む供給元からの液体流を制御するためのバルブであって、
ここで、該バルブステム本体は開位置と閉位置間を移動することができ、該バルブステムシーリング要素は該バルブが閉位置にある場合に該ハウジング面開口部と噛み合いそれをシールし、該バルブステム穴は該バルブが開位置にある場合に該ハウジング面開口部と流体連絡しており、該ステム保持要素は該バルブが開位置に動く場合に該バルブステム本体が固定点を超えて移動することを抑制するために該ステム突出部と噛み合う、バルブ。
【請求項２５】
該ステム突出部が該バルブステム本体一部周りのカラーを含む、請求項２４に記載のバルブ。
【請求項２６】
該ステム保持要素が該バルブステムの第２端部上に置かれる開口キャップを含み、該バルブステムが該キャップ開口部を通して突き出ると共に、該キャップが該ハウジング本体に取り付けられる、請求項２４に記載のバルブ。
【請求項２７】
ハウジング面が供給元に取り付けるために適合化され、少なくとも一つの開口部を包含すると共に、ハウジング本体がハウジング面開口部と流体連絡する少なくとも部分的にネジ切りされた縦穴を含む、ハウジング面およびハウジング本体を含むバルブハウジング；
ステム本体上に配置される外部ネジ切り部分を有するバルブステム本体、少なくとも部分的にハウジング本体穴中に配置され、それとネジ的に噛み合わされるステム本体、少なくとも部分的にステム本体を通して延びる縦穴を含むステム本体、第１端部および第２端部、第１端部に近接するシーリング要素、第１端部と外部ネジ切り部分間のステム本体中に配置されるバルブステム本体穴に対する第１開口部、およびステム本体の第２端部に近接するバルブステム本体穴に対する第２開口部；
ハウジング面開口部と周辺シール材間のハウジング本体穴の一部を環境からシールするためにハウジング本体穴とシーリング結合するように適合化され、第１バルブステム本体開口部と外部ネジ切り部分間でバルブステム本体周りに配置される少なくとも一つの周辺シール材；および
ネジ切りストップ；
を含む供給元からの流体流を制御するためのバルブであって、該バルブステム本体は開位置と閉位置間を回転しながら移動することができ、バルブステムシーリング要素はバルブが閉位置にある場合にハウジング面開口部と噛み合いそれをシールし、バルブステム穴はバルブが開位置にある場合にハウジング面開口部と流体連絡しており、ネジ切りストップは、バルブが開位置に移動する場合にバルブステム本体が固定点を超えて回転することを抑制する。
【請求項２８】
バルブステムシーリング要素が第１バルブステム本体開口部と流体連絡する少なくとも一つの開口部を有する、バルブステム本体の第１端部上に配置される可撓性ブーツを含む、請求項２７に記載のバルブ。
【請求項２９】
ブーツがシリコーンを含む、請求項２８に記載のバルブ。
【請求項３０】
少なくとも一つの周辺シール材がブーツ上に成形される周辺うねを含む、請求項２８に記載のバルブ。
【請求項３１】
少なくとも一つの周辺シール材がブーツ上に成形される２以上の周辺うねを含む、請求項２８に記載のバルブ。
【請求項３２】
スリーブが部分的にネジ切りされ、ネジ切りストップがキャップ開口部を通して突き出るバルブステムの第２端部上に置かれる開口キャップを含むと共に、キャップがハウジング本体に取り付けられる、請求項２７に記載のバルブ。
【請求項３３】
供給元に取り付けるように適合化され且つ開口部を有するハウジング面、およびハウジング本体穴を含むバルブハウジング；
少なくとも部分的に該ハウジング本体穴中に配置されるバルブステム本体であって、少なくとも部分的に該ステム本体を通して延びる縦穴、第１端部および第２端部、該第１端部に近接する該ステム本体中に配置される該縦穴に対する第１開口部、該ステム本体の該第２端部に近接して配置される該縦穴に対する第２開口部、および突出部を含む、バルブステム本体；
該バルブステム本体の第１端部上に配置されるブーツであって、該ブーツ周りに配置される少なくとも一つの周辺シール材を含む、ブーツ；および
該ハウジング本体に取り付けられるステム保持要素；
を含む供給元からの流体流を制御するためのバルブであって、
ここで、該バルブステム本体は開位置と閉位置間を移動することができ、該ブーツは該バルブが閉位置にある場合に該ハウジング面開口部と噛み合いそれをシールし、該バルブステム穴は該バルブが開位置にある場合に該ハウジング面開口部と流体連絡しており、該ステム保持要素は、該バルブステムが開位置に移動する場合に該バルブステム本体が固定点を超えて移動することを抑制するために該ステム突出部と噛み合う、バルブ。
【請求項３４】
ハウジング面が供給元に取り付けるために適合化され、少なくとも一つの開口部を包含すると共に、ハウジング本体がハウジング面開口部と流体連絡する第１縦穴を含むハウジング面およびハウジング本体、および第１の縦のハウジング本体穴と同心でそれよりも大きな径を有する第２の縦のハウジング本体穴を含むバルブハウジング；
少なくとも部分的にネジ切りされた内部表面を含む、第２ハウジング本体穴と結合されるスリーブ；
ステム本体上に配置される外部ネジ切り部分を有するバルブステム本体、少なくとも部分的に第１ハウジング穴中に配置され、スリーブの内部表面ネジ山とネジ的に結合されるステム本体、少なくとも部分的にステム本体を通して延びる縦穴を含むバルブステム本体、第１端部および第２端部、第１端部と外部ネジ切り部分間のステム本体中に配置されるバルブステム本体穴に対する第１開口部、ステム本体の第２端部中に配置されるバルブステム本体穴に対する第２開口部、およびバルブステム本体の側面から突き出る少なくとも一つの雄ピン；
第１バルブステム本体開口部と外部ネジ切り部分間のブーツ上に成形される端を丸めた２以上の周辺うね、および外部ネジ切り部分を含む、バルブステム本体の第１端部上に配置されるシリコーンブーツ、および、バルブステム本体が第１ハウジング本体穴中に挿入される場合に、ハウジング面開口部と少なくとも一つの周辺シール材間の第一ハウジング本体穴の一部をシールするために第一ハウジング本体穴とシーリング結合するように周辺シール材が適合化される、第１バルブステム本体開口部と流体連絡する少なくとも一つの開口部；および
ネジ切りストップ；
を含む供給元からの物質流を制御するためのバルブ組立品であって、該バルブステム本体は開位置と閉位置間を回転しながら移動することができ、シリコーンブーツはバルブが閉位置にある場合にハウジング面開口部と噛み合いそれをシールし、バルブステム穴はバルブが開位置にある場合にハウジング面開口部と流体連絡しており、ネジ切りストップはバルブステムが開位置に移動する場合にバルブステム本体が固定点を超えて回転することを抑制する。
【請求項３５】
さらに、バルブステム本体の第２端部に結合するように適合化される第１端部を有する可撓性チューブであって、該チューブはチューブの第１端部に近接して周辺成形される一体フランジ、およびフランジからチューブの第１端部に延びる短いフランジなしの端部を有し、該フランジなしの端部がバルブステム本体の第２端部に近接する開口部の径にほぼ等しい外径を有する；および
縦穴を有するバルブステムキャップ、第１端部および第２端部を含むステムキャップ、フランジ付きチューブを受け取り保持するようにサイズ化される開口部を有する第１ステムキャップ端部、バルブステム本体を受け取るようにサイズ化される開口部を有する第２ステムキャップ端部、さらに、バルブステムがステムキャップの第２端部中に挿入される場合に、ステム本体の少なくとも一つの雄ピンと噛み合うように適合化される少なくとも一つの側面開口部を含むステムキャップ；
を含む請求項３４に記載のバルブであって、該チューブの第１端部はバルブステム本体の第２端部に結合され、該フランジ付きチューブは第１ステムキャップ端部中に挿入され、バルブステム本体は雄ピンおよびステムキャップ側面開口部を噛み合わせるために十分に第２ステムキャップ中に挿入される。
【発明の詳細な説明】
【技術分野】
【０００１】
本発明は、一般的に試験目的用の収集容器における収集のために、供給元から物質試料を引き出すためのバルブ組立品に関する。あるいは、バルブ組立品は、一つの容器またはシステムから別のものへの流体の通過が望まれる用途において用いることが可能である。
【背景技術】
【０００２】
多くのバイオテクノロジーおよび医薬用途は、分析または試験用の保存または処理容器からの液体、懸濁液または他の流体の周期的な試料の収集を必要とする。多くのこうした例において、保存または処理しようとする物質は、高度に純粋で、滅菌されるか、または汚染されていない性質のものであり、引き出された試料または保存または処理しようとする物質への、不純物の汚染、および／または望ましくない導入を防ぐために、物質の環境への暴露を避けるためにサンプリング手順において大きな注意が払われなければならない。逆に、関与する物質が毒性またはバイオハザード性である場合にこうした単離は望ましくある場合があると共に、こうした物質が、環境中に逃げ出すか、またはシステム運転員に接触することを防止することは望ましい。
【０００３】
物質試料の収集に向けられる既存の技術および装置は、多くの場合、別の部品供給業者から得られるステンレスバルブ、別の容器、フィルタ、金具、シリンジ、およびチュービングを含む複雑な組立品の要求事項による限定を有する。大部分の従来型の設計および組立品は、製品の清浄度を作り出し、洗浄し、操作し、記録し、確認するために余分な労力を必要とする。加えて、こうしたシステムは、多くの場合、かさばっていて面倒である。
【０００４】
さらに、これらの従来型の装置は多くの部品からなり、多くの接合部および結合点を含むので、小さなくぼみまたは裂け目が形成され、これらは物質を囲い込み潜在的な汚染面を生成する。標準の再使用可能な部品も、また、処理後の洗浄、保全、および設定を必要とする。これらの段階が行われる時はいつでも、特に、運転員が装置またはシステムを取り扱う上での経験に欠ける場合において、エラーに対する可能性が増大する。
【０００５】
他の従来型の技術は、望ましい試料を抽出または引き出すために針を使用する。しかし、こうした針の使用は運転員への安全性を危うくすることができ、工程を汚染することができるであろう。なお、他の設計は、複数の軟質のエラストマーシール材および硬質部材の複雑な寄せ集めを必要とする。
【０００６】
従って、シールシステムからの容易で安全な、且つ無菌の試料抽出を可能とし、操作し洗浄するのに簡単である小型装置に対する必要性が存在する。
【発明の概要】
【０００７】
本発明の実施形態は、供給元からの、すなわち、収集容器への供給元からの物質流れを制御するための無菌バルブ組立品を提供することにより、これらのおよび他の必要性を満足させる。
【０００８】
本発明の実施形態により、バルブ組立品は、供給元システムまたは容器からの物質の無菌引出し用のシールされたくぼみのないチャンネルを提供する容易に結合される部品を含む。運転中、バルブ組立品は、差圧による、供給元から適切な収集容器（例えば、コンテナ、子袋、チューブなど）への流体の流れを制御するために用いることが可能である。有利には、バルブ組立品は、試料流体が試験目的用に用いることが可能である、試料流体の収集容器への流れに対する無菌で安定したチャンネルを提供する。
【０００９】
本発明の実施形態により、バルブ組立品は、供給元に取り付けるために適合化されるハウジング面、バルブハウジングに固く固定されるスリーブ、スリーブにネジ的に結合される中空バルブステム本体を包含するバルブハウジングを含む。バルブ組立品は、さらに、バルブステムと収集容器間の流体連絡を提供するバルブステムに取り付けられるチュービング部分組立品、およびチュービングとバルブステム間の結合を確保するバルブステム本体に拘束されるバルブステムキャップを含むことが可能である。
【００１０】
本発明の実施形態により、供給元システムに接続し結合する（直接、または限定なしで３−クランプを含む衛生クランプまたは金具などの仲介部品を介してのいずれかで）バルブハウジングは、バルブ組立品と供給元間の同一平面上で汚染点なしのシールを可能とするように設定されるハウジング面を包含する。有利には、この同一平面上のシールは、洗浄し十分に滅菌するには困難であるあらゆる役に立たなくなった脚または取り込み面を含まない。
【００１１】
ハウジング面は、ハウジング面開口部と流体連絡する少なくとも一つの開口部および縦穴を含むことが可能である。本発明の実施形態により、円筒型スリーブは、第一ハウジング穴と同心の一直線上に、ハウジング本体に固く取り付けられる。スリーブは、バルブステム本体上に配置される外部ネジ切り部分とのネジの噛み合いを可能とするための少なくとも部分的にネジ切りされる内部表面を含む。
【００１２】
本発明の実施形態により、バルブステム本体は、さらに、ステム本体を通して延びる縦穴、第１端部および第２端部、第１端部に近接したシーリング要素、縦穴に対する第１開口部、ステム本体中に配置される第１開口部、ステム本体の第２端部中に配置される縦穴に対する第２開口部を含むことが可能である。
【００１３】
本発明の実施形態により、バルブ組立品は、第１バルブステム本体開口部と外部ネジ切り部分間のバルブステム本体周りに配置される少なくとも一つの周辺シール材を含むことが可能である。周辺シール材は、バルブステム本体が第１ハウジング穴中に挿入される場合に、ハウジング面開口部と周辺シール材間で第１ハウジング本体穴の一部をシールするために、第１ハウジング本体穴とシーリング結合するように適合化される。
【００１４】
好ましくは、シーリング要素は、例えば、シリコーンなどの可撓性材料からなるブーツを含む。任意に、少なくとも一つの周辺シール材はブーツ上に配置することが可能である。
【００１５】
本発明の実施形態により、バルブ組立品は、バルブが開位置にある場合にバルブステム本体が固定点を超えて回転することを抑制するネジ切りストップを含む。任意に、スリーブは、ネジ切りのない部分がネジ切りストップのように機能し、バルブステム本体がスリーブのネジ切り部分を超えて平行移動することを防止するように、部分的にネジ切りすることが可能である。
【００１６】
本発明の実施形態により、バルブ組立品は、バルブステム本体の第２端部に結合される第１端部を有する可撓性チューブを含む。チューブは、短いフランジのない端部がフランジからチューブの第１端部に延びるように、チューブの第１端部に近接して周辺成形される一体フランジを包含する。フランジのない端部は、バルブステム本体の第２端部中にぴったりと適合するように釣り合わされる。
【００１７】
本発明の実施形態により、バルブ組立品は、第１ステムキャップが、フランジ付きチューブを受け取り保持するようにサイズ化される開口部を有すると共に、第２ステムキャップ端部が、バルブステム本体を受け取るようにサイズ化される開口部を包含する、第１端部および第２端部を包含するステムキャップを含む。組立品において、フランジ付きチューブは第１ステムキャップ端部中に挿入されると共に、バルブステム本体は、ステムキャップとバルブステム本体を一緒に噛み合わせるために十分に第２ステムキャップ端部中に挿入される。
【００１８】
本発明の実施形態により、バルブ組立品はスリーブなしで組み立てることが可能である。この実施形態において、突出部を包含するバルブステムはハウジング本体穴中に挿入され、開位置と閉位置間で移動可能である。バルブ組立品は、バルブが開位置にある場合に、バルブステム本体が固定点を超えて移動することを抑制するために、バルブステムの突出部と噛み合うステム保持要素を包含する。任意に、バルブハウジングの内部表面は、バルブステム本体上に配置される外部ネジ切り部分とネジ的に噛み合うように部分的にネジ切りすることが可能である。
【００１９】
本発明の実施形態により、無菌バルブ組立品は、ユーザーが予備洗浄、滅菌、または組み立てなしで、直接供給元にバルブ組立品を設置することを可能とする予備滅菌および予備組み立て単位として提供することが可能である。有利には、バルブハウジングの平らな面は、全体システムの洗浄工程の間に洗浄することが可能である。さらに、無菌バルブ組立品の構成部品は、装置の下流である低圧チュービングおよび収集容器の使用を可能とするための高圧スチームバリアとしての機能を果たす。
【図面の簡単な説明】
【００２０】
本発明は、添付図面と併せて考えられる以下に示される代表的な実施形態の詳細な説明からさらに容易に理解される。
【００２１】
【図１】本発明の実施形態による、代表的なバルブ組立品の側面透視図および断面図を示す。
【００２２】
【図２】本発明の実施形態による、代表的なバルブハウジングの側面透視図および断面図を示す。
【００２３】
【図３】本発明の実施形態による、代表的なブーツの側面透視図および断面図を示す。
【００２４】
【図４】本発明の実施形態による、代表的なバルブステムの側面透視図および断面図を示す。
【００２５】
【図５】本発明の実施形態による、代表的なチュービング部分組立品の側面透視図を示す。
【００２６】
【図６】本発明の実施形態による、代表的なスリーブの側面透視図および断面図を示す。
【００２７】
【図７】本発明の実施形態による、代表的なバルブステムキャップの側面透視図および断面図を示す。
【００２８】
【図８】本発明の実施形態による、供給元および収集容器に結合される代表的な無菌バルブ組立品を示す。
【００２９】
【図９】本発明の実施形態による、代表的な多ポート無菌バルブ組立品を示す。
【００３０】
【図１０Ａ】本発明の実施形態による、テーパフランジを包含する代表的なチュービング部分組立品の側面図である。
【００３１】
【図１０Ｂ】本発明の実施形態による、バルブステムとチュービング部分組立品間の圧縮シールを示す代表的なバルブ組立品の側面、断面図である。
【００３２】
添付図面が本発明の概念を示す目的のためであり、寸法評価するためのものでないことが可能であることは理解されるべきである。
【発明を実施するための形態】
【００３３】
本発明は、供給元からの物質試料の抽出を容易にするために設定されるバルブ組立品に関する。本発明の実施形態により、供給元は、それから試料を抽出することができる物質のあらゆる供給元、例えば、タンク、容器、および／またはコンテナなど（まとめて「供給元」と呼ぶ）が挙げられるがそれらに限定されない。さらに、供給元は、バルブ組立品を供給元に結合するためのコネクタ、金具または装置（例えば、３−クランプ）を包含することが可能である。無菌バルブ組立品を通して供給元から抽出される物質は、あらゆる適する物質、特に医薬、バイオテクノロジー、および飲料産業におけるものを含むことが可能である。例えば、物質は高純度液体または医薬組成物または工程中間物を含むことが可能である。
【００３４】
バルブ組立品は、汚染なしのやり方でシールシステムからの物質試料の安全な滅菌抽出を提供する。運転中、無菌バルブ組立品は、「開位置」（すなわち、供給元から収集容器への物質の通過を可能とするように配置される）か、または「閉位置」（すなわち、無菌バルブ組立品が供給元システムからの物質の流れを可能としないように配置される）のいずれかを想定する。
【００３５】
図１は代表的なバルブ組立品１を示す。本発明の実施形態により、無菌バルブ組立品１は、バルブハウジング１０、バルブステム３０に結合されるブーツ２０を包含するバルブステムブーツ組立品、バルブステムキャップ４０、およびスリーブ７０を含む。
【００３６】
本発明の実施形態により、バルブ組立システムは、無菌バルブ組立品１（図１に示す）を一体成形フランジ６０を有するチュービング５５を包含するチュービング部分組立品５０（図５に示す）に結合することにより形成することが可能である。
【００３７】
図２は、本発明の実施形態による、代表的なバルブハウジング１０の側面透視図および断面図を示す。バルブハウジング１０は供給元に結合するように適合化されるハウジング面１１を含むことが可能である。ハウジング面１１は、バルブ１が開位置にある場合に、供給元から無菌バルブ組立品１中への物質の流れを可能とするために、１以上の開口部または貫通孔１２を含むことが可能である。
【００３８】
本発明の実施形態により、バルブハウジング１０は、バルブ１が閉位置にある場合に（図１に示すように）、ブーツ２０がハウジング面１１の開口部１２をシールするかまたは塞ぐように、ブーツ２０を受け入れ収納するために成形されサイズ化される。好ましくは、バルブハウジング１０は、ブーツ２０のシール材２２とシール結合するようにサイズ化される第１穴１３を包含することが可能である（すなわち、第１穴１３は、ブーツ２０のそれより僅かに大きいが、しかしシール材２２のそれよりも僅かに小さくある径を有する）。バルブハウジングは、さらに、スリーブ７０および結合バルブステム３０を受け取るように設定される第２のより大きな穴１４を含む。
【００３９】
ハウジング面１１は、それがあらゆる適切なクランプ、金具または他の適する取付けハードウエアを用いる当業者に公知のあらゆるやり方で、供給元に対して平らに取り付けるか、または結合することが可能であるように、成形されるかまたは寸法化される。この平らな取付けまたは結合は、いかなるポケット、空洞、裂け目、役に立たなくなった脚、またはデッドスポットのない、それらの間のシール結合を可能とする。当業者は、ハウジング面１１があらゆる従来型の供給元、供給元コネクタ（例えば、３−クランプ）、金具、および／またはポートと結合するように設定することが可能であることを理解する。
【００４０】
図６に関して、円筒型スリーブ７０の内部表面は少なくとも部分的にネジ切りされた内部表面７１を含む。ネジ切り部分７１はスリーブ７０の一端からスリーブ７０中に延びるが、しかし、スリーブ７０の他端に通してすべてにずっと延びているわけではない。従って、スリーブ７０は、ネジ切りストップ７２として機能するネジ切りのない部分を包含する。ネジ切り部分７１は、バルブステムの対応する外部ネジ山と噛み合うように適合化される。ネジ切りストップ７２は、バルブステム本体３０がある点を超えて平行移動することを防止すると共に、内部ネジ切り端部に到達する場合に、バルブステムはこれ以上回転することができない。従って、ネジ切りストップ７２は、バルブステム３０がバルブ１の作動の間に動くことができる距離を制御する。加えて、ネジ切りストップ７２は、作動の間スリーブ７０との噛み合いから出てバルブステムが平行移動するように運転員がバルブ１を過剰作動させないことを確実にする。当業者は、バルブ組立品１が、例えば、ネジ切りまたは圧縮金具、つめ、または当業者に公知の他の保持手段などの他の代替ネジ切りストップ７２を含むことが可能であることを理解する。
【００４１】
図１に関して、バルブステム３０はスリーブ７０とネジ的に結合され、２片組立品は、次に、バルブハウジング１０の第２穴中にはめ込まれる。スリーブ７１は、例えば、バルブハウジング穴に対する内部ネジ山と噛み合うスリーブ上の外部ネジによる、または当業者に公知のあらゆる他の従来型の方法による接着剤または化学結合などのあらゆる適する接着法または材料を用いて、バルブハウジング１０に固定される。
【００４２】
図１に示すように、バルブ組立品１は、それらそれぞれが以下に詳細に説明されるブーツ２０およびバルブステム３０を含むバルブステムブーツ組立品を包含する。
【００４３】
ブーツ２０はバルブステム３０に取り付けられ、バルブハウジング１０内に組み入れられるように適合化される可撓性末端キャップである。当業者は、ブーツ２０が望ましくない動きに対して耐性があり、バルブ組立品１の作動中に遊離しないように、丈夫な構造体を提供する強くて可撓性のある材料からなることが可能であることを理解する。ブーツ２０は、例えば、プラスチックまたはエラストマーなどのあらゆる適する材料からなることが可能である。好ましくは、ブーツ２０はシリコーンからなる。あるいは、ブーツは、バルブステム３０が当業者に公知であるような硬質プラスチックまたは非金属成分などの適して強くなお弾力的な可撓性材料からなるという条件で、バルブステム３０の一部として一体的に成形することが可能である。
【００４４】
図３に示すように、好ましくは、ブーツ２０は、バルブステム３０のブーツ結合外延部３３を噛み合わせるように設定されるモノリス部品である。ブーツ２０は、バルブ組立品１が閉位置にある場合に（図１を参照すること）、ハウジング面１１中の開口部１２をシールするか、または塞ぐ末端部２１を包含する。バルブ組立品１の作動の際に、ブーツ２０はハウジング面１１との接触から離れて平行移動し、それによって、開口部１２をシールしないか、または塞がないで、物質がそれを通して自由に流れることを可能とする。
【００４５】
有利には、本発明の実施形態により、ブーツ末端部２１は、好ましくは、洗浄容易な表面を提供し、ブーツ末端部２１およびハウジング面１１を横切る十分な層流を可能とするために丸められる。
【００４６】
本発明の実施形態により、ブーツ２０は、図３に示すように、ブーツ２０の中間部分周りに一体的に形成される１以上の高くなった部分またはシール材２２（例えば、一体成形０−リング）を含む。加えて、ブーツ２０は、バルブ組立品１がその開位置にある場合に、物質がそこを通して流れることを可能とする１以上の開口部または小穴２４を包含する。１以上のシール材２２は、ブーツ２０の外側に沿って逃げる（すなわち、１以上の小穴２４に入らない）物質の外側の流れを抑制するように設計される。
【００４７】
１以上のシール材２２は、多シーリング点を提供するためにブーツ２０の外側表面上に一体成形される（すなわち、末端部２１により形成されるシールおよびシール材２２により形成されるシール（複数を含む））。一つのシール材２２は用いることが可能であるが、好ましくは、冗長自由度を提供し、付加的なシーリング保護を確保するために、少なくとも二つのシール材が提供される。シール材２２は、好ましくは、ブーツ２０の一部として成形されるが、しかし、接着剤、機械的または化学的結合により後に付け加えることが可能である。
【００４８】
ブーツ２０の一体成形部分としてシール材２２を形成することは、それが別のｏ−リングまたは金具（例えば、ガスケットおよび／またはｏ−リング）を取り付ける必要性を排除し、従って製造工程を簡略化することを含む利点を有する。加えて、従来のボックス型のガスケットまたはｏ−リングを排除することは、溝を保持すること、または、物質が蓄積するかまたは洗浄することが難しくあることが可能である構成部品間の裂け目または表面の創成に対する必要性を減じる。有利には、モノリス多シールブーツ２０は洗浄することがより簡単であり、従って汚染可能性を減じる。二つのシール材２２により示されるけれども、当業者は、ブーツ２０が一つまたはあらゆる数のシール材２２を包含することが可能であることを理解する。この単一ブーツ設計は、また、すべてのシール材の適正な配列を確実にする。
【００４９】
本発明の別の実施形態により（図には示していない）、１以上のシール材２２は、さらにシール材２２を通過する物質流を防ぐために、バルブハウジング１０の内部表面中に形成される対応する溝または開口部に取り付けるかまたは噛み合わせることが可能である。あるいは、ブーツまたはバルブステム上に一体成形しようとするシール材または複数のシール材に対して、シール材は、バルブステム、または周辺のうね、またはハウジング本体の縦穴の壁上に成形されるかまたはそれに取り付けられる複数のうねの上に配置される従来型のＯ−リングを含むことが可能であり、これは、ステムバルブと結合される場合に、ステム周りにシール材（複数を含む）を配置してシール化バリアを形成するであろう。
【００５０】
本発明の実施形態により、ブーツ２０は、それを所定の位置に押し付けることにより機械的にバルブステム３０に固定される。あるいは、当業者は、ブーツ２０およびバルブステム３０が化学的結合に限定されないがそれを含むあらゆる従来型の結合方法を介して一緒に結合することが可能であることを理解する。
【００５１】
図４は本発明の実施形態による代表的なバルブステム３０を示す。バルブステム３０はその上にブーツ２０を配置することが可能であるブーツ結合延長部３３を含む。好ましくは、ブーツ結合延長部３３は、それが固定ショルダーまたはフランジの使用を通してに限定されないがそれらなどのそれらの間の固いはめ合いを提供するためにブーツ２０内に挿入することが可能であるように、成形されサイズ化される。任意に、ブーツ結合延長部３２の端部はブーツ２０の丸めた端部との圧縮はめ合いを提供するために丸めることが可能である。バルブステム３０は、例えばポリスルフォン（ＰＳ）、ポリエーテルイミド（ＰＥＩ）、ＰＶＤＦ、テフロン（登録商標）、などの、例えば、あらゆる適するポリマーなどのあらゆる適する硬質の非可撓性材料からなることが可能である。
【００５２】
バルブステム３０は、さらに、スリーブ７０のネジ切り部分とネジ的に結合するように適合化されるバルブステム本体上に配置される外部ネジ切り部分を含む。運転中、バルブステム３０のネジ切り部分は、スリーブ７０のネジ切り部分７１と噛み合う。バルブ組立品１が作動すると（すなわち、図８に示すように、バルブステム３０および／またはバルブステムキャップ４０を回すと）、バルブステム３０およびブーツ２０（すなわち、バルブステムブーツ組立品）は、ネジ切り部分７１（これはバルブハウジング１０中でのスリーブ７０の締付けのせいで固定位置に保持される）内で平行移動して、バルブ組立品１を閉位置から開位置に動かし、逆の場合も同じである。スリーブ７０の閉末端ネジ山のせいで、バルブステム３０ネジ山とネジ切り部分７１間のネジ噛み合いは、バルブ組立品１構成部品がはずれてバラバラになることを引き起こすであろう過剰作動を防止するように、バルブステム組立品が回転することが可能である距離内に限定される。好ましくは、バルブステム３０のネジ切り部分は、バルブ組立品１の運転を簡略化するための作動の速いネジ山を含む。
【００５３】
本発明の代替実施形態により、バルブ組立品１は、バルブステム３０が従来型のプッシュプル作動によってその開および閉位置間で動かされるように設定することが可能である。運転中、バルブステム３０は、バルブハウジング本体１０の縦穴中に押し込んで、ハウジング面開口部１２をシールし、バルブ組立品を閉位置に置くことが可能である。バルブステム３０は、次に、シールが破れ、従ってバルブ組立品１を開位置に置くように、ハウジング面１１から引き離すことが可能である。当業者は、バルブステム３０の動きが、バルブステム３０の一端上に置かれ、ハウジング本体に取り付けられる開口キャップ、フランジ、またはバルブステムをバルブハウジング本体中に閉じ込めて保持するために適する他の構造体に限定されないがそれらを含むあらゆる適する保持手段を用いて抑制することが可能であることを理解する。
【００５４】
実施形態により、バルブステム３０は、流れの乱流を最小化し、物質がバルブ作動と同じ（すなわち、ハウジング面１１に垂直な）方向に向けられ分配することを可能とするようにその末端でチャンネル化することが可能である３１。ブーツ結合延長部３３は、さらに、ブーツ２０の小穴２４を通して流れる物質が、バルブ組立品１が開位置にある場合にバルブステム３０の中空内部チャンネルに入ることを可能とするために、バルブステムの末端から僅かに引っ込めた１以上の小穴または開口部３４を含む。バルブステム３０は、ステムを通過し、他端を出て、チュービング部分組立品５０中に入る物質の流れを可能とするための中空内部チャンネルまたは穴を含む。この貫流背面分配設計は、一般的な９０度試料バルブなどの多くの標準タイプのバルブ設計に較べて一段と小型のバルブプロフィールを可能とする。
【００５５】
本発明の実施形態により、バルブステム３０は、好ましくは、以下に詳細に記載されるように、バルブステム３０およびバルブステムキャップ４０を取り付けるために、バルブステムキャップ４０（図７に示す）の対応開口部４２と結合するように設定される１以上の突き出た雄ピン３２を包含する。加えて、バルブステム３０の開放端部（すなわち、ブーツ結合延長部３３の反対側の端部）は、以下に詳細に記載されるように、チュービング５５を受け入れ固定するようにサイズ化され成形される。代替実施形態により、チュービング５０は、チュービング５０をバルブステム３０の第２端部上に滑らすことによりバルブステム３０に結合することが可能である。
【００５６】
バルブ組立品１は、好ましくは、バルブステム３０と結合しチュービング５５と噛み合うように適合化されるバルブステムキャップ４０を含む。本発明の実施形態により、バルブステムキャップ４０は、縦穴、第１端部、および第２端部を包含する。第１ステムキャップ端部は、チュービング部分組立品５０を受け取り保持するように釣り合わせた隙間または開口部を包含することが可能である。第２ステムキャップ端部は、バルブステム本体３０を受け取るように釣り合わせた隙間または開口部を包含することが可能である。図７に関して、バルブステムキャップ４０は、例えば適するポリマーなどのあらゆる適する硬質非可撓性材料からなることが可能である。
【００５７】
本発明の実施形態により、バルブステム３０の第２端部は、図１０Ａおよび１０Ｂに示すように、フランジ６０のテーパ表面６１と結合するように適合化されるテーパ内部表面３５を含むことが可能である。バルブステム３０のテーパ表面３５は、図１０Ｂに示すように、フランジ６０のテーパ表面６１に対する取付面を提供し、チュービング５５がバルブステム３０中に挿入される場合に、圧縮シール（すなわち、液体密封）を作り出す。
【００５８】
図７に示すように、バルブステムキャップ４０は、バルブステム３０の少なくとも一つの雄ピン３２とはめ合うように適合化されるその側表面中に少なくとも一つの開口部４２を含むことが可能である。任意に、バルブステムキャップ４０は、少なくとも一つの雄ピン３２を少なくとも一つの対応開口部４２と一列に並ばせて適合化される１以上のトラックを含むことが可能である。バルブステムキャップ４０は、外径上の通り穴を有するテーパ入口４１を包含することが可能である。有利には、テーパ入口４１は、バルブステム３０に結合しようとする場合に、バルブステムキャップ４０の僅かな機械的変形を可能とする。テーパバルブステムキャップ４０は、プラスチック材料の一時的な曲がりを可能とし、部品が機械的に噛み合うことを可能とする。この機械的連結は、有利には、バルブステムキャップ４０をバルブステム３０に結合するための溶媒、溶接、または接着剤に対する必要性を回避する。あるいは、雄ピン３２および開口部４２の使用は排除することができると共に、バルブステム３０は、接着剤、クランプ、ネジ切り結合、または他の周知の結合方法によることを含む当業者に公知の他の手段によりバルブステムキャップ４０に結合することができる。別の実施形態において、雄ピンはステムキャップ４０の内部表面上に配置することが可能であり、対応孔または複数の孔はバルブステム本体３０中に配置することが可能である。
【００５９】
組立品において、フランジ６０を包含するチュービング５５は、バルブステムキャップ４０を通して、バルブステム３０の開放端部での圧縮シール中に入る。有利には、バルブステムキャップ４０は、抽出の間物質に接触することなしで、外部環境からチュービング−バルブステム結合を保護する。さらに、当業者は、雄ピン３２および対応孔４２の位置が、また、バルブステム３０とチュービング部分組立品５０間の圧縮シーリングの量を制御することを理解する。さらに、組み立てるとスリーブ７０に接触するバルブステムキャップ４０の高さは、バルブステム３０とチュービング部分組立品５０間のシーリングの過剰圧縮を避けるためのストップとして機能するように選択することが可能である。
【００６０】
バルブステム３０中に挿入されるチュービング５５の部分のサイズは、フランジ６０により制御され、限定される。さらに詳細には、チュービング５５は、バルブステム本体３０の第２端部との結合のために適合化される第１端部を包含する。上述のように、チュービング５５は、短いフランジなし端部６５がフランジ６０からチュービング５５の第１端部まで延びるように、チューブの第１端部近くで周辺成形される一体フランジ６０を包含する。フランジなし端部６５は、バルブステム本体３０の第２端部中にぴったりとはめ込まれるように釣り合わされる。
【００６１】
本発明の実施形態により、バルブステムキャップ４０は、例えば、対応して成形されサイズ化されるレンチまたは他の工具を用いて、簡単な開および閉を可能とするための六角端を含む。あるいは、バルブステムキャップ４０は、刻み付きであるか、または簡単な握りを可能とする織り目加工表面を有することが可能である。加えて、六角端を通しての穴は、好ましくは、バルブステムキャップ４０の内部チャンネル中にショルダーまたはリップ４３を作り出すように、バルブステムキャップ４０の主本体を通しての穴よりも小さな径である。チューブ５５の外径と同じかまたはそれよりも僅かに小さくある末端穴の径を選択することにより、一旦フランジ６０が末端穴を通過すると、チュービング部分組立品５０は、チュービング５５がバルブステムキャップ４０を切り抜けそれから離れることができないようにしっかりと固定される。
【００６２】
本発明の実施形態により、チュービング部分組立品５０は、図８に示すように、バルブステム３０と容器間で結合することが可能である。チュービング部分組立品５０は固定フランジ６０を包含するチュービング５５を含む。チュービング部分組立品５０は、例えば、成形エラストマー材料などの単一構築材料からなる。本発明の実施形態により、フランジ６０およびチュービング５５は、例えば、シリコーン成形過程における完全分子結合によるなどのあらゆる適する技術を用いて一体成形することが可能である。
【００６３】
固定フランジ６０は、チュービング５５の一部がフランジを超えて延び、チュービング５５のこの部分が上述のようにバルブステム３０中に挿入されるようにチュービング５５上に配置される。この構造はあらゆる接着剤に対する必要性なしで強い機械的結合を提供する。
【００６４】
フランジ６０は、一般的に軟質エラストマーチュービング上の機械的シール材を必要とするバーブまたは他の類似の取付け手段に対する必要性を排除する。フランジ６０は二つの主機能を提供する：１）フランジ６０はバルブステム３０との圧縮シールを可能とする；および２）フランジ６０は、それがバルブステムキャップ４０内にチュービング部分組立品５０を固定するそれらの間に圧縮シールを作り出すためにバルブステムキャップ４０のリップ４３に対して座するように、成形されサイズ化される。
【００６５】
本発明の実施形態により、チュービング５５の内部チャンネルおよびバルブステム３０の径は、物質の乱流が全くないように同じであることが可能である。
【００６６】
一般的な機械的チューブ組立品は、エラストマーチュービングの軟質内部壁上に固定するための別の結合金具またはバーブ結合を必要とする。これは内部チューブ径よりも僅かに大きくある別の結合金具を必要とし、従って、構成部品の壁強度を保持するため結合金具の内径はより小さくなければならない。結果として、結合金具は、バルブからチューブに対する結合金具までの液体移行としての流動制約として機能する。
【００６７】
本発明において、バルブステム３０は、チュービングの端部（すなわち、フランジからチューブ端部まで延びるチュービングの一部）を収容し、線形シールを可能とするように釣り合わされる取付け面を包含する第２端部を含む。この線形シールは、チューブの中心に向けての半径方向圧縮の代わりにチュービング長さに沿っての縦のものである。有利には、チューブの内径および液体流は乱されない。
【００６８】
当業者は、バルブ組立品１がチュービング組立品５０を含むことが可能であるか、またはあるいは、供給元と容器を結合するために、バルブ組立品１とチュービング部分組立品５０の結合を包含するサンプリングシステムは提供することが可能である（図８に示すように）ことを理解する。
【００６９】
本発明の実施形態により、バルブ組立品１はバルブステムキャップ４０を回すことにより（例えば、反時計１／４回り）閉位置から開位置に動かすように運転することが可能である。この作動は、ブーツ２０がハウジング面１１から離れて動き、もはや開口部１２をシールしないか、または塞がないで、従って、物質が供給元からバルブハウジング１０の第１穴１３中に流れることを可能とするように、バルブステム３０およびブーツ２０を引っ込める。物質は、ブーツ２０中の１以上の開口部を通して、少なくとも一つのバルブステム開口部３４を介してバルブステム３０中へ、バルブハウジング１０と供給元間の結合点に垂直に流れる。次に、物質はバルブステム３０を出てチュービング５５中に入る。シール材２２は、抽出しようとする物質がバルブハウジング１０から逃げることを防止する。バルブ組立品１は、バルブステムキャップ４０を時計回り方向に回すことにより閉じることが可能である（すなわち、閉位置に置かれる）。これは、バルブステム３０およびブーツ２０を前に（すなわち、供給元に向かって）動かし、ブーツ端部２１をバルブハウジング１０の開口部１２に接触させ、その結果、シール状態を回復し、供給元とバルブ組立品間の流路を閉じる。
【００７０】
一旦物質が供給元から引き出され、収集容器中に引き込まれると、運転員はチュービング５５上に無菌シーリング処理を行うことにより収集容器を分離することが可能である。これは、熱溶接、機械的圧接、および／または遮断適合技術に限定されないがそれらを含む当業者に公知のあらゆる適する技術により行うことが可能である。
【００７１】
本発明の代替実施形態により、上に詳細に記載されるバルブ組立品１は、スリーブ７０なしで組み立てることが可能である。この実施形態により、バルブ組立品１は、バルブステム本体３０上に包含されるか、またはそれに取り付けられる突出部と噛み合うように適合化されるバルブハウジング１０本体に取り付けられるステム保持要素を含む。運転中、ステム保持要素はステム突出部と噛み合って、バルブが開位置にある場合に、バルブステム本体が固定点を超えて動くことを抑制する。当業者は、ステム突出部およびステム保持要素が、バルブステム本体の一部周りに配置されるカラー、バルブステムの端部上に置かれ、ネジ山、位置決めネジ、接着剤、または他の公知の締付け手段によりハウジング本体に取り付けられる開口キャップ、バルブステムから突き出るネジ山、フランジ、金具、またはバルブステムをバルブハウジング本体中に閉じ込めて保持するための技術上公知の他の構造体に限定されないがそれらを含む相互作用構造要素のあらゆる適する組合せを含むことが可能であることを理解する。当業者に公知の代替的な機械的に共同利用できる要素は、ハウジング１０からのバルブステム本体３０の除去が限定されるかまたは制御されるという重要な考慮があって、バルブ組立品１中に提供することが可能である。
【００７２】
本発明のなお別の実施形態において、バルブハウジング１０の内部表面は、スリーブに対する必要性なしで、バルブステム３０の外部ネジ切り部分とネジ的に噛み合うように適合化されるネジ切り部分を包含することが可能である。この実施形態により、バルブ組立品１は、バルブ組立品１の作動中、バルブステム本体３０の動きを制御するためのネジ切りストップを含む。当業者は、バルブステム端部上に置かれる開口キャップまたは他の固定要素に限定されないがそれらを含むあらゆる適するストップ手段を用いることが可能であることを理解する。キャップはネジ山、位置決めネジ、接着剤または他の留め具により取り付けることが可能である。
【００７３】
本発明の実施形態により、１以上の開口部を有するバルブハウジングを含む多バルブ組立品は形成することが可能である。図９に示す多バルブ組立品は、少なくとも一つのハウジング面開口部と流体連絡する複数の縦穴を有するバルブハウジング１１０を含む。それぞれの縦穴は、上記詳細説明により、バルブステム本体３０を含むように適合化される。任意に、少なくとも一つの縦穴は、上記詳細説明により、バルブハウジング１１０に固く取り付けられるスリーブ７０を含む。
【００７４】
代表的な実施形態は単に本発明の説明用であると共に、上述の実施形態の多くの変形が本発明の範囲から逸脱することなしに当業者により考え出されることが可能であることは、理解することができる。従って、すべてのこうした変形が以下のクレームおよびそれらの同等物の範囲内に包含されることは意図されている。特に、上述の発明は、サンプリングまたは収集システム、または汚染なしの運転が本質的である用途における使用に限定するようには意図されていない。むしろ、上述のバルブ組立品は、バルブが必要とされるあらゆる適する用途において用いることが可能である。
【図１】
2010507060.tif 000003
【図２】
2010507060.tif 000004
【図３】
2010507060.tif 000005
【図４】
2010507060.tif 000006
【図５】
2010507060.tif 000007
【図６】
2010507060.tif 000008
【図７】
2010507060.tif 000009
【図８】
2010507060.tif 000010
【図９】
2010507060.tif 000011
【図１０Ａ】
2010507060.tif 000012
【図１０Ｂ】
2010507060.tif 000013
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
ハウジング面およびハウジング本体を含むバルブハウジングであって、該ハウジング面が供給元に取り付けるために適合化され、少なくとも一つの開口部を包含すると共に、該ハウジング本体が該ハウジング面開口部と流体連絡する縦穴を含む、バルブハウジング；
少なくとも部分的に該ハウジング本体穴中に配置されるバルブステム本体であって、少なくとも部分的に該ステム本体を通して延びる縦穴、第１端部および第２端部、該第１端部に近接するシーリング要素、該ステム本体中に配置される、該縦穴に対する第１開口部、該ステム本体の該第２端部に近接して配置される、該縦穴に対する第２開口部、および突出部を含む、バルブステム本体；
該第１バルブステム本体開口部と該第２端部間で該バルブステム本体周りに配置される少なくとも一つの周辺シール材であって、該ハウジング面開口部と該周辺シール材間の該第１ハウジング本体穴の一部を環境からシールするために該ハウジング本体穴とシーリング結合するように適合化された、周辺シール材；および
ステム保持要素；
を含む供給元からの液体流を制御するためのバルブであって、
ここで、該バルブステム本体は開位置と閉位置間を移動することができ、該バルブステムシーリング要素は該バルブが閉位置にある場合に該ハウジング面開口部と噛み合いそれをシールし、該バルブステム穴は該バルブが開位置にある場合に該ハウジング面開口部と流体連絡しており、該ステム保持要素は該バルブが開位置に動く場合に該バルブステム本体が固定点を超えて移動することを抑制するために該ステム突出部と噛み合う、バルブ。
【請求項２】
該ステム突出部が該バルブステム本体一部周りのカラーを含む、請求項１に記載のバルブ。
【請求項３】
該ステム保持要素が該バルブステムの第２端部上に置かれる開口キャップを含み、該バルブステムが該キャップ開口部を通して突き出ると共に、該キャップが該ハウジング本体に取り付けられる、請求項１に記載のバルブ。
【請求項４】
供給元に取り付けるように適合化され且つ開口部を有するハウジング面、およびハウジング本体穴を含むバルブハウジング；
少なくとも部分的に該ハウジング本体穴中に配置されるバルブステム本体であって、少なくとも部分的に該ステム本体を通して延びる縦穴、第１端部および第２端部、該第１端部に近接する該ステム本体中に配置される該縦穴に対する第１開口部、該ステム本体の該第２端部に近接して配置される該縦穴に対する第２開口部、および突出部を含む、バルブステム本体；
該バルブステム本体の第１端部上に配置されるブーツであって、該ブーツ周りに配置される少なくとも一つの周辺シール材を含む、ブーツ；および
該ハウジング本体に取り付けられるステム保持要素；
を含む供給元からの流体流を制御するためのバルブであって、
ここで、該バルブステム本体は開位置と閉位置間を移動することができ、該ブーツは該バルブが閉位置にある場合に該ハウジング面開口部と噛み合いそれをシールし、該バルブステム穴は該バルブが開位置にある場合に該ハウジング面開口部と流体連絡しており、該ステム保持要素は、該バルブステムが開位置に移動する場合に該バルブステム本体が固定点を超えて移動することを抑制するために該ステム突出部と噛み合う、バルブ。
【請求項５】
液体供給元からの液体流を制御するためのシステムであって、該システムは、
ａ．前記液体供給元からの液体流を制御するためのバルブであって、前記バルブは開位置と閉位置を有し、
ｉ．  少なくとも一つのバルブ本体であって、該バルブ本体が少なくとも一つの穴およびバルブ面を有し、該面は前記液体供給元に隣接し、該面は開口部を有し、そこで該穴と前記液体供給元の間の液体連絡を提供する、バルブ本体；
ｉｉ．  該穴の内部に配置された中空バルブステムであって、該バルブステムが該バルブ本体の該面に向けられた第１端部、および該第１端部とは反対側の第２端部を有し、該バルブステムが該穴内部で閉位置および開位置へ往復運動し、該バルブステムが該第１端部に隣接する液体入口および該第２端部に隣接する液体出口をさらに含む、中空バルブステム；および
ｉｉｉ．  該バルブステムの第１端部を覆うブーツであって、前記ブーツは前記バルブステムの第１端部に隣接する第１シーリング表面を含み、該ブーツは該液体入口と該液体出口の間に少なくとも一つの周辺シーリング表面をさらに含み、前記バルブが閉位置にある場合に、該周辺は該バルブ本体の該面の該開口部をシーリングする第２シーリング表面と該穴との間に液体密封を提供する、ブーツ、
を含むバルブ、並びに
ｂ．統合されたフランジを含むチューブであって、前記フランジが該バルブステムの該出口に隣接して配置された、チューブ、
を含んでなる、システム。
【請求項６】
請求項５に記載された液体流を制御するためのシステムを含んでなる、無菌サンプリングシステム。
【請求項７】
前記バルブステムがテーパ化された内部表面を有する、請求項５に記載された液体流を制御するためのシステム。
【請求項８】
前記バルブ本体が、前記チューブの該フランジ上に配置され且つ該バルブステムと前記チューブの間に液体密封を形成する、抑制キャップを含む、請求項５に記載された液体流を制御するためのシステム。
【請求項９】
前記ブーツが複数の周辺シーリング表面を含む、請求項５に記載された液体流を制御するためのシステム。
【請求項１０】
前記ブーツがシリコーンを含む、請求項５に記載された液体流を制御するためのシステム。
【請求項１１】
バルブ本体が複数の穴を含み、各々の穴がそこに配置された中空チューブ状バルブステムを有する、請求項５に記載された液体流を制御するためのシステム。
【国際調査報告】
2010507060.tif 000014
2010507060.tif 000015
2010507060.tif 000016